(57)【要約】【課題】蓋を容易に取り外すことができるようにした容器を提供する。【解決手段】舟形の容器は、開口部１０の周りに側壁１１を有する容器本体１と、容器本体１の側壁１１と対応する側壁２０を有し、容器本体１と外嵌めによって嵌合して開口部１０を閉じる取り外し可能な蓋２を備えている。容器本体１及び蓋２は柔軟性、可撓性または変形性を有し、嵌合状態で容器本体１の側壁１１の下縁部１１１は、蓋２の側壁２０の下縁部２００から出て表面に現れるように構成されている。容器本体１の側壁１１外面に設けてある係合凹部３１，３１，３１と、蓋２の側壁２０内面に設けてある係合凸部２１、２１、２１との係合で、容器本体１の開口部１０を閉じた蓋２が容器本体１から取り外れないようにしてある。【選択図】　　　　図１
2004075183.tif 000002
【特許請求の範囲】
【請求項１】
開口部（１０）の周りに側壁（１１）を有する容器本体（１）と、
容器本体（１）の側壁（１１）と対応する側壁（２０）を有し、容器本体（１）と外嵌めによって嵌合して開口部（１０）を閉じる取り外し可能な蓋（２）またはカバーと、
を備えており、
容器本体（１）及び蓋（２）は柔軟性、可撓性または変形性を有し、嵌合状態で容器本体（１）の側壁（１１）の下縁部（１１１）は、蓋（２）の側壁（２０）の下縁部（２００）から出て表面に現れるように構成されており、
容器本体（１）の側壁（１１）外面と蓋（２）またはカバーの側壁（２０）内面の何れか一方に係合凸部（２１，２１，２１）を有し、他方には該係合凸部（２１，２１，２１）と係合する係合凹部（３１，３１，３１）を有し、
係合凸部（２１，２１，２１）と係合凹部（３１，３１，３１）との係合で、容器本体（１）の開口部（１０）を閉じた蓋（２）またはカバーが容器本体（１）から取り外れないようにしたことを特徴とする、
容器。
【請求項２】
開口部（１０）の周りにフランジ部（１３）を有し、フランジ部（１３）の外端から容器底部側に向けて延設された側壁（１１）を有する容器本体（１ａ）と、
容器本体（１ａ）のフランジ部（１３）及び側壁（１１）と対応するフランジ部（２４）及び側壁（２０）を有し、容器本体（１ａ）と外嵌めによって嵌合して開口部（１０）を閉じる取り外し可能な蓋（２ａ）またはカバーと、
を備えており、
容器本体（１ａ）及び蓋（２ａ）は柔軟性、可撓性または変形性を有し、嵌合状態で容器本体（１ａ）の側壁（１１）の下縁部（１１１）は、蓋（２ａ）の側壁（２０）の下縁部（２００）から出て表面に現れるように構成されており、
容器本体（１ａ）の側壁（１１）外面と蓋（２ａ）またはカバーの側壁（２０）内面の何れか一方に係合凸部（２１，２１，２１）を有し、他方には該係合凸部（２１，２１，２１）と係合する係合凹部（３１，３１，３１）を有し、
容器本体（１ａ）のフランジ部（１３）と蓋（２ａ）またはカバーのフランジ部（２４）の何れか一方に係合突起（６１，６１，６１）を有し、他方には該係合突起（６１，６１，６１）と係合する係合穴（７１，７１，７１）を有し、
係合凸部（２１，２１，２１）と係合凹部（３１，３１，３１）との係合、及び係合突起（６１，６１，６１）と係合穴（７１，７１，７１）との係合で、容器本体（１ａ）の開口部（１０）を閉じた蓋（２ａ）またはカバーが容器本体（１ａ）から取り外れないようにしたことを特徴とする、
容器。
【請求項３】
開口部（１０）の周りにフランジ部（１３）を有する容器本体（１ａ）と、
容器本体（１ａ）のフランジ部（１３）と対応するフランジ部（２４）を有し、容器本体（１ａ）と外嵌めによって嵌合して開口部（１０）を閉じる取り外し可能な蓋（２ａ）またはカバーと、
を備えており、
容器本体（１）及び蓋（２）は柔軟性、可撓性または変形性を有し、嵌合状態で容器本体（１）の側壁（１１）の下縁部（１１１）は、蓋（２）の側壁（２０）の下縁部（２００）から出て表面に現れるように構成されており、
容器本体（１ａ）のフランジ部（１３）と蓋（２ａ）またはカバーのフランジ部（２４）の何れか一方に係合突起（６１，６１，６１）を有し、他方には該係合突起（６１，６１，６１）と係合する係合穴（７１，７１，７１）を有し、
係合突起（６１，６１，６１）と係合穴（７１，７１，７１）との係合で、容器本体（１ａ）の開口部（１０）を閉じた蓋（２ａ）またはカバーが容器本体（１ａ）から取り外れないようにしたことを特徴とする、
容器。
【請求項４】
容器が舟形であり、係合凸部（２１，２１，２１）と係合凹部（３１，３１，３１）または／及び係合突起（６１，６１，６１）と係合穴（７１，７１，７１）は、容器の船首側及び船尾側に設けてあることを特徴とする、
請求項１，２または３記載の容器。
【請求項５】
係合突起（６１，６１，６１）は、先部側に向かって径が次第に大きくなるように形成されており、該係合突起（６１，６１，６１）と係合する係合穴（７１，７１，７１）は、開口側に向かって径が次第に小さくなるように形成されていることを特徴とする、
請求項２，３または４記載の容器。
【請求項６】
係合突起（６１，６１，６１）は、内方への変形を吸収する中空部（６００）を有していることを特徴とする、
請求項２，３，４または５記載の容器。
【請求項７】
係合穴（７１，７１，７１）は、係合突起（６１，６１，６１）と係合した際にゆとり部分を有するように長穴で形成され、容器本体（１）（１ａ）と蓋（２）またはカバーの嵌合時の寸法誤差を補正できるように構成されていることを特徴とする、
請求項２，３，４，５または６記載の容器。
【発明の詳細な説明】
【０００１】
【発明の属する技術分野】
本発明は容器に関するものである。
更に詳しくは、蓋を容易に取り外すことができるようにしたものに関する。
また、多少の衝撃を受けても蓋が簡単に外れないようにしたものに関する。
更に、容器本体または蓋の何れか一方に設けた係合突起と他方に設けた係合穴との係合を容易に且つ確実に行うことができるようにしたものに関する。
また更に、製造による寸法誤差が容器本体または／及び蓋に生じた場合でも、係合突起と係合穴の係合を可能にして、蓋を容器本体に確実に嵌合させることができるようにしたものに関する。
【０００２】
【従来技術】
例えば、刺身や寿司などを体裁よく盛り付ける容器として、図１５に示すような合成樹脂製の舟形の容器が使用されている。
図１５は、従来の容器の斜視説明図を示す。図１６は、図１５に示す容器の船首部分（先部側の尖形部分）の縦断面を示す拡大説明図で、容器本体１ａと蓋２ａとの嵌合構造を表している。
【０００３】
図１５に示す従来のものは、蓋２ａが容器本体１ａに外側から嵌め込まれ、蓋２ａの下縁部２００ａは、図１６に示すように、容器本体１ａの縁部１１ａの下縁部１１１ａから下方に出っ張った状態で固定されている。
【０００４】
蓋２ａの下縁部内側には、内方へ突出して形成された掛止部２１ａが設けてある。この掛止部２１ａで容器本体１ａの下縁部１１１ａを掛止することで、蓋２ａは容器本体１ａに固定される。掛止部２１ａは、図１５に示すように、蓋２ａの船首部分の他、蓋２ａの両側面部や船尾側の角部等にも設けてある。
【０００５】
【発明が解決しようとする課題】
しかしながら、上記した従来のものでは、下記のような理由により容器本体１ａから蓋２ａを取り外すことが容易ではなかった。
【０００６】
図１６に示すように、従来のものでは、内側へ突出した掛止部２１ａで容器本体１ａの下縁部１１１ａを掛止する。このため、蓋２ａを取り外すには、蓋２ａの下縁部２００ａ側を外方へ変形させ、掛止部２１ａによる掛止を解除する必要がある。
【０００７】
しかしながら、掛止部２１ａは、蓋２ａの船首部分や角部等のような、容器本体１ａを外方に変形させることが困難なコーナー部分に設けてある。このため、このコーナー部分を外側へ変形させて、掛止部２１ａによる掛止を解除するには、相当の力が必要であった。
【０００８】
また、蓋２ａを無理な力を加えて外そうとすると、そのコーナー部分が破損したり、蓋２ａを開けたときの衝撃で中に盛り付けたものが崩れたりする可能性が高かった。
【０００９】
（発明の目的）
そこで本発明の目的は、蓋を容易に取り外すことができるようにした容器を提供することにある。
本発明の他の目的は、多少の衝撃を受けても、蓋が容器本体から簡単に外れないようにした容器を提供することにある。
本発明の他の目的は、容器本体または蓋の何れか一方に設けた係合突起と他方に設けた係合穴との嵌合を容易に且つ確実に行うことができるようにした容器を提供することにある。
本発明の他の目的は、製造による寸法誤差が容器本体または／及び蓋に生じた場合でも、係合突起と係合穴の係合を可能にして、蓋を容器本体に確実に嵌合させることができるようにした容器を提供することにある。
【００１０】
【課題を解決するための手段】
上記目的を達成するために講じた本発明の手段は次のとおりである。
第１の発明にあっては、
開口部の周りに側壁を有する容器本体と、
容器本体の側壁と対応する側壁を有し、容器本体と外嵌めによって嵌合して開口部を閉じる取り外し可能な蓋またはカバーと、
を備えており、
容器本体及び蓋は柔軟性、可撓性または変形性を有し、嵌合状態で容器本体の側壁の下縁部は、蓋の側壁の下縁部から出て表面に現れるように構成されており、
容器本体の側壁外面と蓋またはカバーの側壁内面の何れか一方に係合凸部を有し、他方には該係合凸部と係合する係合凹部を有し、
係合凸部と係合凹部との係合で、容器本体の開口部を閉じた蓋またはカバーが容器本体から取り外れないようにしたことを特徴とする、
容器である。
【００１１】
第２の発明にあっては、
開口部の周りにフランジ部を有し、フランジ部の外端から容器底部側に向けて延設された側壁を有する容器本体と、
容器本体のフランジ部及び側壁と対応するフランジ部及び側壁を有し、容器本体と外嵌めによって嵌合して開口部を閉じる取り外し可能な蓋またはカバーと、を備えており、
容器本体及び蓋は柔軟性、可撓性または変形性を有し、嵌合状態で容器本体の側壁の下縁部は、蓋の側壁の下縁部から出て表面に現れるように構成されており、
容器本体の側壁外面と蓋またはカバーの側壁内面の何れか一方に係合凸部を有し、他方には該係合凸部と係合する係合凹部を有し、
容器本体のフランジ部と蓋またはカバーのフランジ部の何れか一方に係合突起を有し、他方には該係合突起と係合する係合穴を有し、
係合凸部と係合凹部との係合、及び係合突起と係合穴との係合で、容器本体の開口部を閉じた蓋またはカバーが容器本体から取り外れないようにしたことを特徴とする、
容器である。
【００１２】
第３の発明にあっては、
開口部の周りにフランジ部を有する容器本体と、
容器本体のフランジ部と対応するフランジ部を有し、容器本体と外嵌めによって嵌合して開口部を閉じる取り外し可能な蓋またはカバーと、
を備えており、
容器本体及び蓋は柔軟性、可撓性または変形性を有し、嵌合状態で容器本体の側壁の下縁部は、蓋の側壁の下縁部から出て表面に現れるように構成されており、
容器本体のフランジ部と蓋またはカバーのフランジ部の何れか一方に係合突起を有し、他方には該係合突起と係合する係合穴を有し、
係合突起と係合穴との係合で、容器本体の開口部を閉じた蓋またはカバーが容器本体から取り外れないようにしたことを特徴とする、
容器である。
【００１３】
第４の発明にあっては、
容器が舟形であり、係合凸部と係合凹部または／及び係合突起と係合穴は、容器の船首側及び船尾側に設けてあることを特徴とする、
第１，２または第３の発明に係る容器である。
【００１４】
第５の発明にあっては、
係合突起は、先部側に向かって径が次第に大きくなるように形成されており、該係合突起と係合する係合穴は、開口側に向かって径が次第に小さくなるように形成されていることを特徴とする、
第２，３または第４の発明に係る容器である。
【００１５】
第６の発明にあっては、
係合突起は、内方への変形を吸収する中空部を有していることを特徴とする、
第２，３，４または第５の発明に係る容器である。
【００１６】
第７の発明にあっては、
係合穴は、係合突起と係合した際にゆとり部分を有するように長穴で形成され、容器本体と蓋またはカバーの嵌合時の寸法誤差を補正できるように構成されていることを特徴とする、
第２，３，４，５または第６の発明に係る容器である。
【００１７】
容器は、例えば熱可塑性樹脂シートを用いた熱成形（真空成形、圧空成形、圧空真空併用成形等）によって得ることができるが、特にこれに限定されない。
【００１８】
材料として熱可塑性樹脂としては、ポリスチレン系樹脂、ポリプロピレン、塩化ビニル樹脂、ポリエチレンテレフタレート、ポリブチレンテレフタレート、ＡＢＳ樹脂、ポリカーボネート、変性ポリフェレンオキサイド、ポリエチレン等またはそれらのブレンド物からなるもの等を挙げることができるが、特にこれらに限定されない。
【００１９】
ポリスチレン系樹脂シートとしては、ハイインパクトポリスチレンシート（ＨＩＰＳ、耐衝撃用ポリスチレン；ポリスチレンにゴム成分をブレンドあるいは共重合させてシート状にし、耐衝撃性を高めたもの）、二軸延伸ポリスチレンシート（ＯＰＳ）、発泡ポリスチレンシート（ＰＳＰ）、低発泡ポリスチレンシート等を挙げることができる。
【００２０】
また、容器の耐熱性向上のため、耐熱性を有する合成樹脂（耐熱性ポリスチレンやポリプロピレン等）を使用することもできる。
【００２１】
熱可塑性樹脂シートとして、二枚以上のシート又はフィルムを貼り合わせた複合シートやラミネートシート、その他、印刷処理したものやアルミ蒸着を施し高級感をもたせた加飾シート等を使用して、デザイン性、耐寒性、防曇性を向上させることもできる。
【００２２】
また、透明または半透明の材料を使用することもできる。その場合の材料としては、二軸延伸ポリスチレン（ＯＰＳ）、ポリエチレンテレフタレートシート（ＰＥＴ）、透明ポリプロピレン等を挙げることができるが、特にこれに限定するものではない。
【００２３】
蓋は、収容したものが外から見えるように透明または半透明の材料で形成することもできるし、逆に中のものが見えないように不透明（有色）の材料で形成することもできる。このことは、容器本体についても同じである。
【００２４】
（作　用）
容器本体の側壁外面と蓋またはカバーの側壁内面の何れか一方に係合凸部を有し、他方には該係合凸部と係合する係合凹部を有しているものは、容器本体から蓋を外す際に、例えば蓋の下縁部から出て表面に現れている容器本体の縁部の下縁部を指で軽く押さえ、内方に変形させる。容器本体の側壁を内方に変形させた状態で蓋を軽く押し上げれば、各側壁に設けてある係合凸部と係合凹部の係合が解除され、蓋を容易に取り外すことができる。
【００２５】
容器本体のフランジ部と蓋またはカバーのフランジ部の何れか一方に係合突起を有し、他方には該係合突起と係合する係合穴を有しているものは、容器本体から蓋を外す際に、例えば蓋の側壁の下縁部から出て表面に現れている容器本体の側壁の下縁部を指で軽く押さえ、内方に変形させる。内方に変形させることで容器本体と蓋の間に出来た隙間に例えば親指を差し入れ、その親指で蓋を軽く押し上げれば、各フランジ部に設けてある係合突起と係合穴の係合が解除され、蓋を容易に取り外すことができる。
【００２６】
各側壁に設けた係合凸部と係合凹部との係合、及び各フランジ部に設けた係合突起と係合穴との係合で、容器本体の開口部を閉じた蓋またはカバーが容器本体から取り外れないようにしたものは、異なる複数の係合により、多少の衝撃を受けても、蓋が容器本体から簡単に外れないようになっている。
【００２７】
容器が舟形であり、係合凸部と係合凹部または／及び係合突起と係合穴が容器の船首側及び船尾側に設けてあるものでは、刺身や寿司などを体裁よく盛り付ける容器として好適に使用できる。
【００２８】
係合突起が先部側に向かって径が次第に大きくなるように形成されており、係合突起と係合する係合穴が開口側に向かって径が次第に小さくなるように形成されているものは、係合突起を係合穴に押し込むことにより、係合突起は内方へ変形して係合穴内に容易に入り込むが、その後外方に復帰するため、係合穴から簡単に外れることはない。したがって、多少の衝撃を受けても、蓋が容器本体から簡単に外れないようになっている。
【００２９】
係合突起が内方への変形を吸収する中空部を有しているものでは、係合突起は変形しやすくなっているので、係合突起と係合穴の係合を容易に且つ確実に行うことができる。
【００３０】
係合穴が、係合突起と係合した際にゆとり部分を有するように長穴で形成され、容器本体と蓋またはカバーの嵌合時の寸法誤差を補正できるように構成されているものは、寸法誤差により生じた係合突起と係合穴のずれを補って蓋を容器本体に確実に嵌合させることができる。
【００３１】
【発明の実施の形態】
本発明を図面に示した実施の形態に基づき更に詳細に説明する。
［実施の形態１］
図１は本発明に係る容器の第１の実施の形態を示し、容器本体に蓋が載置嵌合されている状態を示す斜視説明図、
図２は容器の側面視説明図、
図３は容器の船首部分の縦断面を示す拡大説明図で、容器本体と蓋との嵌合状態を示している。
図４は容器の正面視拡大説明図、
図５は図４のＩ−Ｉ部分に対応する端面を示す概略説明図である。
【００３２】
図１に示す容器は、柔軟性、可撓性または変形性を有する準剛性または自立性の合成樹脂で形成されている。詳しくは、熱可塑性樹脂シートを用いた熱成形（圧空真空併用成形）によって得ることができる。
容器は、上部に開口部１０を備えた舟形の容器本体１と、容器本体１に外嵌めによって載置し嵌合される蓋２を備えている。
【００３３】
容器本体１は有色で透光性を有していないが、これに限定されず、透明または半透明でもよい。蓋２は透明で、中に盛り付けた刺身等が外から見えるようにしてある。
【００３４】
なお、本実施の形態では、容器本体１をハイインパクトポリスチレンシート（耐衝撃用ポリスチレンシート）で成形し、耐衝撃性を高めている。また、蓋２は、二軸延伸ポリスチレンシート（ポリスチレンシートを縦横二軸に延伸させ、厚味を均一にすると同時に縦横の引張強度を向上させたもの）を用い、透明性と高い引張強度を具備させている。
【００３５】
図２に示す嵌合状態では、図１５に示す従来のものと相違して、容器本体１の開口部１０の周りの側壁１１の下縁部１１１は、蓋２の側壁２０の下縁部２００から出て表面（下方）に出るように構成されている。符号１３は開口部１０の周りに設けてあるフランジ部を示している。側壁１１は、フランジ部１３の外端から容器底部側に向けて延設されている。
【００３６】
他方、蓋２のうち、符号２４は、容器本体１のフランジ部１３と対応するフランジ部を示しており、符号２０は、容器本体１の側壁１１と対応する側壁を示している。
【００３７】
図１及び図３に示すように、蓋２の船首側（先部側、尖形部分）の側壁２０内面の下縁部２００寄りには、内側へ突出して形成された断面略半円弧状の係合凸部２１が設けてある。係合凸部２１は、図４に示すように、蓋２の船首部分の周りを囲むように連続して帯状に設けてある。
【００３８】
一方、図１及び図３に示すように、容器本体１の船首側（先部側、尖形部分）の側壁１１外面の所要箇所には、内側へ凹んで形成されている断面略半円弧状の係合凹部３１が設けてある。係合凹部３１は、係合凸部２１と同様、容器本体１の船首側の周りを囲むように連続して帯状に設けてある。
図３に示すように、この容器本体１の係合凹部３１に蓋２の係合凸部２１が嵌合して掛止され、容器本体１の開口部１０を閉じた蓋２が容器本体１から取り外れないようにしてある。即ち、容器本体１と蓋２は、係合凸部２１と係合凹部３１との略水平方向（左右方向）の係合によって固定される。
【００３９】
図４及び図５に示すように、蓋２の係合凸部２１には、半円形状の凸部２１１，２１１が内側へ突出して設けてある。本実施の形態では、凸部２１１は係合凸部２１に所要間隔をおいて二箇所設けてある。この凸部２１１，２１１に合致するように、容器本体１の係合凹部３１には、上記凸部２１１，２１１が掛止される凹部３１１，３１１が内側に凹んだ状態で（本実施の形態では、所要間隔をおいて２箇所）設けてある。
【００４０】
凸部２１１，２１１と凹部３１１，３１１の嵌合により、蓋２の容器本体１への固定が確実なものとなっている。ただし、容器本体１への固定が十分であれば、凸部２１１と凹部３１１を省略することもできる。
【００４１】
図１に示すように、蓋２の船尾側（基端側）の角部（一方は隠れて見えず）にも、同様に凸部（図では見えず）を備えた係合凸部２１が設けてあり、容器本体１側にも同様に係合凹部３１が設けてある。
【００４２】
蓋２の船尾側の角部（一方は隠れて見えず）には、平面視三角形状の摘み部である摘み片４が外側に突出して設けてある。
【００４３】
なお、本実施の形態においては、容器は刺身や寿司等の盛り付け用の容器であるが、これに限定されるものではなく、他の各種用途の容器にも利用できる。
容器の他の例としては、平面視方形状の容器の角部に掛止部と係合凹部が設けてあるものを挙げることができる。
【００４４】
また、図３で係合凸部２１を蓋２側に設け、係合凹部３１を容器本体１側に設けているが、その逆の構成とすることもできる。
【００４５】
（作　用）
図６は、容器の船首部分の拡大斜視図を示しており、蓋２を外している状態を表している。
図面を参照して、容器の作用を説明する。
【００４６】
図２に示す容器本体１から蓋２を外すときは、例えば左手で容器の船首側を持ち、右手で容器の船尾側を持つ。そして、容器の船首部分に左手の親指を掛ける。
【００４７】
詳しくは、図６に示すように、容器本体１の側壁１１の下縁部１１１を親指で軽く押さえて内方に変形させた後、容器本体１と蓋２の間に出来た隙間５に親指を差し入れる。
【００４８】
次いで、親指の第１関節を曲げ、親指の背の部分で蓋２を押し上げる。親指を曲げれば、蓋２の係合凸部２１が容器本体１の係合凹部３１から外れ、船首部分の固定は解除される。親指の第１関節を曲げることで、言わば「てこの原理」により、船首側の固定はそれ程力を入れなくても容易に解除される。その後、蓋２の船尾側に設けてある摘み片４を右手で掴み、蓋２を容器本体１から取り外す。このように、本実施の形態に係る容器では、蓋２を容易に取り外すことができる。
【００４９】
なお、上記した蓋２の取り外し方は一つの例を示しており、この方法に特に限定するものではない。
本実施の形態では、摘み片４を蓋２側に設けているが、容器本体１側にも設けることもできる。
【００５０】
［実施の形態２］
図７は本発明に係る容器の第２の実施の形態を示す分解斜視説明図、
図８は容器本体を示す平面視説明図、
図９は係合突起と上面係合凹部の嵌合状態を説明する拡大断面説明図、
図１０は蓋を示す平面視説明図、
図１１は蓋の船尾側の角部の一部を示す平面視拡大説明図、
図１２は蓋の係合突起を示す断面説明図であり、図９のＩＩ−ＩＩ部分に対応している。
図１３は蓋の船首側の一部を示す平面視拡大説明図、
図１４は係合突起と上面係合凹部の嵌合状態を説明する平面視断面説明図である。
なお、図９及び図１１ないし図１４では、構造が分かりやすいように一部誇張して表している。
【００５１】
また、第１の実施の形態と同一または同等箇所には同一の符号を付して示している。更に、第１の実施の形態で示してある箇所については、重複する説明は省略し、主に相異点を説明する。
【００５２】
図７に示す容器では、第１の実施の形態に加え、船尾側及び船首側の上面側にも凸部である係合突起６１，６１，６１と凹部である係合穴７１，７１，７１が設けられている。
【００５３】
また、図７に示すように、容器本体１ａの内部には、平板状の皿８を載置できるように構成されている。皿８は着脱可能である。例えば寿司や刺身等は、容器本体１ａに載置した皿８の上に盛りつけることができ、お頭付きの刺身等は、皿８を外した容器本体１ａに直接盛りつけることができる。
以下、容器の各構成部材について、順を追って詳しく説明する。
【００５４】
図７及び図８に示すように、容器本体１ａの船尾側（基端側）のフランジ部１３ａは、船首側（先部側、尖形部分）から船尾側にかけて設けてあるフランジ部１３，１３に比べ、上面部の幅が広くなっている。フランジ部１３ａの両端側には、底面側へ凹んで形成されている凹部である係合穴７１，７１が設けてある。係合穴７１，７１は、図８に示すように、平面視で開口部が長穴状に形成されている。この長穴に形成した作用については後述する。
【００５５】
図９に示すように、容器本体１ａと蓋２ａは嵌合し、容器本体１ａの係合穴７１に後述する蓋２ａの係合突起６１（図７参照）が嵌入れられる（係止される）。即ち、容器本体１ａと蓋２ａは、容器本体１ａの係合穴７１と蓋２ａの係合突起６１との上下方向の係合によって固定される。
【００５６】
図９に示すように、蓋２ａの船尾側は、容器本体１ａの側壁１１に合致するように、側壁２０がフランジ部２４に対してやや斜め下方に折れ曲がって形成されており、虫やゴミが侵入するような隙間は形成されない。フランジ部２４には、底面側へ突出して形成された凸部である断面円形状の係合突起６１が、容器本体１ａ側の係合穴７１と係合可能に設けてある。
【００５７】
図９に示すように、容器本体１ａ側の係合穴７１は、開口側に向かって径が次第に小さくなるように形成されている（いわゆる「逆テーパー型」）。また、蓋２ａ側の係合突起６１についても、係合穴７１の形状にほぼ合致するように、先部側に向けて径が大きくなるように形成されている（同じく「逆テーパー型」）。
【００５８】
係合突起６１は、内方への変形を吸収する中空部６００を有している。更に係合突起６１は、図１１及び図１２に示すように（図９では隠れて見えず）、周面部６１１の所要の位置（本実施の形態では４箇所）に凹み６１２，６１２，６１２，６１２が設けられている。凹み６１２は、上下方向に線条に形成されている。係合突起６１は内方への変形を吸収する中空部６００を有しており、更に上記凹み６１２を備えているので、より一層内側に変形しやすくなっている。
【００５９】
よって、図９に示すように、蓋２ａのフランジ部２４を上から押さえて、係合突起６１を係合穴７１に押し込めば、周面部６１１が内方に変形して係合突起６１は係合穴７１に容易に嵌り込む。更に嵌合後は、周面部６１１が外方に膨らみ（元の形状に復帰し）、係合穴７１に引っ掛かる。このため（この逆テーパーの形状により）、係合突起６１と係合穴７１の嵌合は確実となる。
【００６０】
なお、本実施の形態では、係合突起６１の凹み６１２は、周面部６１１に４箇所設けてあるが、その数は特に限定されない。
また、係合突起６１及び係合穴７１は、全周がすべて傾斜したテーパー面となっているが、全周のうちの一部だけをテーパー面としても良い。
【００６１】
図７及び図１３に示すように、容器本体１ａ及び蓋２ａの船首側（先部側、尖形部分）のフランジ部１３にも、船尾側と同様に、係合穴７１と係合突起６１がそれぞれ設けてあり、上記と同じように作用する。
【００６２】
図８及び図１４に示すように、容器本体１ａ側の係合穴７１，７１，７１は平面視で開口部が長穴状に形成されている。このような構成にした理由は、蓋２ａ及び容器本体１ａが柔軟性、可撓性または変形性を有する合成樹脂によって成形されるので、成形後に反りや曲がり等が発生する恐れがあり、それによって生じる凸部と凹部の位置関係のずれを補正（吸収）するためである。
【００６３】
即ち、図１４に示すように、断面略円形状の係合突起６１に対して、係合穴７１を長穴状に形成すれば、係合突起６１と係合穴７１を係合した際にゆとり部分が形成され、係合突起６１と係合穴７１の位置関係が多少ずれていた場合でも、係合突起６１を係合穴７１に嵌合させることができる。
【００６４】
本実施の形態では、図８に示すように、船尾側の係合穴７１，７１は、その長さ方向が容器本体１ａの幅方向と一致するように設けられており、船首側の係合穴７１は、その長さ方向が容器本体１ａの長手方向と一致するように設けてある。これにより、容器の長手方向と幅方向に生じる寸法誤差に対処することができる。
ただし、係合穴７１の方向は、反りや曲がり等が想定される方向に設ければ良く、上記したものに特に限定されない。
【００６５】
本実施の形態では、図９に示すように、係合突起６１を蓋２ａ側に設け、係合穴７１を容器本体１ａ側に設けているが、その逆の構成とすることもできる。
【００６６】
更に、本実施の形態では、係合穴７１を船尾側に２箇所設けているが、１箇所でも良く（例えば上面部の長手方向の中央部分等）、また３箇所以上設けることもできる。
【００６７】
容器本体１ａの底部側には、刺身等から出るドリップ（血汁）を受ける溝であるドリップ受部１４が多数設けてある。
ところで、容器本体１ａは、同一金型の一面に複数のキャビティを有する成型用金型によって、いわゆる多数個取りされる。更に、一枚の合成樹脂シートから同時に成形・切り出された容器本体１ａ…を重ねて置いたとき、各ドリップ受部１４が同一位置にならないように、キャビティは形状の一部が互いに異なっている。これにより、容器本体１ａ，…は互いに強く嵌まり合うことはなく、少し間を隔てた状態でスタッキングされ（積み重ねられ）、内容物収容前（保管時や輸送時等）の取扱いを容易にしている。
【００６８】
（作　用）
本実施の形態では、第１の実施の形態に加え、船首側と船尾側の縁部の上面側にも係合突起６１と係合穴７１が設けてあるので、蓋２ａと容器本体１ａの嵌合状態は第１の実施の形態によりも確実である。
【００６９】
容器本体１ａから蓋２ａを外す手順は、第１の実施の形態（図６参照）とほぼ同じである。
【００７０】
また図１２に示すように、係合突起６１は逆テーパー型で周面部６１１に凹み６１２を有しており、内側に変形しやすい。よって、係合突起６１を係合穴７１に嵌合した状態で、図９に示すように、蓋２ａを上部側にやや力を入れて押し上げれば、係合突起６１が内側に変形し、嵌合が比較的容易に解除される。
【００７１】
このように、多少の衝撃を受けても、係合突起６１と係合穴７１の嵌合は外れないが、やや力を入れさえすれば、蓋２ａを比較的容易に取り外すことができる。
その他の作用・効果については、第１の実施の形態に係る容器とほぼ同様であるので、説明を省略する。
【００７２】
本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００７３】
更に、特許請求の範囲には、請求項の記載の内容を理解するため、図面において使用した符号を括弧を用いて記載しているが、特許請求の範囲を図面記載のものに限定するものではない。
【００７４】
【発明の効果】
本発明は上記構成を備え、次の効果を有する。
（ａ）容器本体の側壁外面と蓋またはカバーの側壁内面の何れか一方に係合凸部を有し、他方には該係合凸部と係合する係合凹部を有しているものは、容器本体から蓋を外す際に、例えば蓋の側壁の下縁部から出て表面に現れている容器本体の側壁の下縁部を指で軽く押さえ、内方に変形させる。容器本体の側壁を内方に変形させた状態で蓋を軽く押し上げれば、各側壁に設けてある係合凸部と係合凹部の係合が解除され、蓋を容易に取り外すことができる。
【００７５】
（ｂ）容器本体のフランジ部と蓋またはカバーのフランジ部の何れか一方に係合突起を有し、他方には該係合突起と係合する係合穴を有しているものは、容器本体から蓋を外す際に、例えば蓋の側壁の下縁部から出て表面に現れている容器本体の側壁の下縁部を指で軽く押さえ、内方に変形させる。内方に変形させることで容器本体と蓋の間に出来た隙間に例えば親指を差し入れ、その親指で蓋を軽く押し上げれば、各フランジ部に設けてある係合突起と係合穴の係合が解除され、蓋を容易に取り外すことができる。
【００７６】
（ｃ）各側壁に設けた係合凸部と係合凹部との係合、及び各フランジ部に設けた係合突起と係合穴との係合で、容器本体の開口部を閉じた蓋またはカバーが容器本体から取り外れないようにしたものは、異なる複数の係合により、多少の衝撃を受けても、蓋が容器本体から簡単に外れないようになっている。
【００７７】
（ｄ）容器が舟形であり、係合凸部と係合凹部または／及び係合突起と係合穴が容器の船首側及び船尾側に設けてあるものでは、刺身や寿司などを体裁よく盛り付ける容器として好適に使用できる。
【００７８】
（ｅ）係合突起が先部側に向かって径が次第に大きくなるように形成されており、係合突起と係合する係合穴が開口側に向かって径が次第に小さくなるように形成されているものは、係合突起を係合穴に押し込むことにより、係合突起は内方へ変形して係合穴内に容易に入り込むが、その後外方に復帰するため、係合穴から簡単に外れることはない。したがって、多少の衝撃を受けても、蓋が容器本体から簡単に外れないようになっている。
【００７９】
（ｆ）係合突起が内方への変形を吸収する中空部を有しているものでは、係合突起は変形しやすくなっているので、係合突起と係合穴の係合を容易に且つ確実に行うことができる。
【００８０】
（ｇ）係合穴が、係合突起と係合した際にゆとり部分を有するように長穴で形成され、容器本体と蓋またはカバーの嵌合時の寸法誤差を補正できるように構成されているものは、寸法誤差により生じた係合突起と係合穴のずれを補って蓋を容器本体に確実に嵌合させることができる。
【図面の簡単な説明】
【図１】本発明に係る容器の一実施の形態を示し、容器本体に蓋が載置嵌合されている状態を示す斜視説明図。
【図２】容器の側面視説明図。
【図３】容器の船首部分の縦断面を示す拡大説明図。
【図４】容器の正面視拡大説明図。
【図５】図４のＩ−Ｉ部分に対応する端面を示す概略説明図。
【図６】容器の船首部分の拡大斜視図。
【図７】本発明に係る容器の第２の実施の形態を示す分解斜視説明図。
【図８】容器本体を示す平面視説明図。
【図９】係合突起と係合穴の嵌合状態を説明する拡大断面説明図。
【図１０】蓋を示す平面視説明図。
【図１１】蓋の船尾側の角部の一部を示す平面視拡大説明図。
【図１２】蓋の係合突起を示す断面説明図。
【図１３】蓋の船首側の一部を示す平面視拡大説明図。
【図１４】係合突起と係合穴の嵌合状態を説明する平面視説明図。
【図１５】従来の容器の斜視説明図。
【図１６】図７に示す容器の船首部分の縦断面を示す拡大説明図。
【符号の説明】
１，１ａ　容器本体
１１　縁部
１１１　下縁部
１２　側壁部
１３、１３ａ　側壁部
１４　ドリップ受部
２，２ａ　蓋
２０　側壁
２００　下縁部
２１　係合凸部
２４　フランジ部
２１１　凸部
３１　係合凹部
３１１　凹部
４　摘み片
５　隙間
６１　係合凹部
６１１　周面部
７１　係合凹部
８　皿
【図１】
2004075183.tif 000003
【図２】
2004075183.tif 000004
【図３】
2004075183.tif 000005
【図４】
2004075183.tif 000006
【図５】
2004075183.tif 000007
【図６】
2004075183.tif 000008
【図７】
2004075183.tif 000009
【図８】
2004075183.tif 000010
【図９】
2004075183.tif 000011
【図１０】
2004075183.tif 000012
【図１１】
2004075183.tif 000013
【図１２】
2004075183.tif 000014
【図１３】
2004075183.tif 000015
【図１４】
2004075183.tif 000016
【図１５】
2004075183.tif 000017
【図１６】
2004075183.tif 000018